(57)【要約】【課題】信号伝送路を介して接続された通信装置の組が複数ある場合に信号伝送路を介して伝送される信号の補正量を設定する信号補正量設定装置において、短時間で最適な補正量の検出および設定を行うことを可能にする。【解決手段】複数のスロットの組のうち、等しい長さの配線パターンで接続されたスロットの組をグループとして登録した等長グループ情報を記憶し、複数のスロットの組のうち一つのスロットの組が指定された場合に、信号のＰＥ（プレエンファシス）およびＥＱ（イコライザー）の設定値を変化させながらエラーレートを検出し、指定されたスロットの組を接続する配線パターンと等しい長さの配線パターンで接続されたスロットの組を、等長グループ情報に基づいて選択し、選択したスロットの組の間で伝送される信号のＰＥおよびＥＱの最適設定値を、検出したエラーレートに基づいて設定する。【選択図】        図２
2008103951.tif 000002
【特許請求の範囲】
【請求項１】
信号伝送路を介して接続された通信装置の組が複数ある場合に信号伝送路を介して伝送される信号の補正量を設定する信号補正量設定装置であって、
複数の信号伝送路のうち、等しい長さの信号伝送路をグループとして登録した情報を記憶するグループ情報記憶手段と、
前記複数の信号伝送路のうち一つの信号伝送路が指定された場合に、信号の補正量を変化させながら異常の発生状況に係る情報を取得するエラー情報取得手段と、
指定された信号伝送路と等しい長さの信号伝送路を前記グループ情報記憶手段により記憶された情報に基づいて選択し、選択した信号伝送路を介して伝送される信号の補正量を前記エラー情報取得手段により取得された情報に基づいて設定する信号補正量設定手段と、
を備えたことを特徴とする信号補正量設定装置。
【請求項２】
前記エラー情報取得手段は、指定された信号伝送路が使用中であるか否かを確認し、使用中であることを確認した場合に、該信号伝送路と等しい長さの未使用の信号伝送路において信号の補正量を変化させながら異常の発生状況に係る情報を取得することを特徴とする請求項１に記載の信号補正量設定装置。
【請求項３】
異なる長さの信号伝送路にそれぞれ設定されている信号の補正量の差分情報を記憶する差分情報記憶手段をさらに備え、
前記エラー情報取得手段は、指定された信号伝送路と等しい長さの未使用の信号伝送路が他に存在しなかった場合に、該信号伝送路とは異なる長さの未使用の信号伝送路において信号の補正量を変化させながら異常の発生状況に係る情報を取得し、取得した情報と前記差分情報記憶手段により記憶された差分情報とに基づいて信号の補正量を導出することを特徴とする請求項２に記載の信号補正量設定装置。
【請求項４】
信号伝送路を介して接続された通信装置の組が複数ある場合に信号伝送路を介して伝送される信号の補正量を設定する信号補正量設定方法であって、
複数の信号伝送路のうち、等しい長さの信号伝送路をグループとして登録した情報を記憶するグループ情報記憶工程と、
前記複数の信号伝送路のうち一つの信号伝送路が指定された場合に、信号の補正量を変化させながら異常の発生状況に係る情報を取得するエラー情報取得工程と、
指定された信号伝送路と等しい長さの信号伝送路を前記グループ情報記憶工程により記憶された情報に基づいて選択し、選択した信号伝送路を介して伝送される信号の補正量を前記エラー情報取得工程により取得された情報に基づいて設定する信号補正量設定工程と、
を含んだことを特徴とする信号補正量設定方法。
【請求項５】
信号伝送路を介して接続された通信装置の組が複数ある場合に信号伝送路を介して伝送される信号の補正量を設定する信号補正量設定プログラムであって、
複数の信号伝送路のうち、等しい長さの信号伝送路をグループとして登録した情報を記憶するグループ情報記憶手順と、
前記複数の信号伝送路のうち一つの信号伝送路が指定された場合に、信号の補正量を変化させながら異常の発生状況に係る情報を取得するエラー情報取得手順と、
指定された信号伝送路と等しい長さの信号伝送路を前記グループ情報記憶手順により記憶された情報に基づいて選択し、選択した信号伝送路を介して伝送される信号の補正量を前記エラー情報取得手順により取得された情報に基づいて設定する信号補正量設定手順と、
をコンピュータに実行させることを特徴とする信号補正量設定プログラム。
【発明の詳細な説明】
【技術分野】
【０００１】
この発明は、信号伝送路を介して接続された通信装置の組が複数ある場合に信号伝送路を介して伝送される信号の補正量を設定する信号補正量設定装置、信号補正量設定方法および信号補正量設定プログラムに関し、特に、短時間で最適な補正量の検出および設定を行うことができる信号補正量設定装置、信号補正量設定方法および信号補正量設定プログラムに関するものである。
【背景技術】
【０００２】
従来、情報処理装置や伝送装置など、信号を入出力して所定の処理を行う電子装置は、複数の通信装置がバックボード（以下、「ＢＷＢ」と呼ぶ）を介して接続されて構成されることが一般的である。通常、かかる電子装置に用いられる通信装置は、信号の送受信を行う回路など、所定の処理を行う集積回路が実装されたプリント基板により実現されることが多い。一方、バックボードには、通信装置の入出力端子を挿入するための複数のスロットが備えられている。各スロットは、配線パターンを介して互いに接続されており、これらスロットを経由して、各通信装置の間で信号がやり取りされる。
【０００３】
図１６は、バックボードの構成の一例を示す図である。同図に示すバックボードには、８つのスロット（Ｓｌｏｔ＃１〜＃８）が実装されており、Ｓｌｏｔ＃１とＳｌｏｔ＃２、Ｓｌｏｔ＃３とＳｌｏｔ＃４、Ｓｌｏｔ＃５とＳｌｏｔ＃６、Ｓｌｏｔ＃７とＳｌｏｔ＃８とが、それぞれ、配線パターンにより接続されている。なお、同図においては、スロット間の配線パターンを１本で示しているが、実際にはスロット間では信号が双方向に伝送されるため、スロット間は、それぞれの方向について１本ずつ、計２本の配線パターンで接続されている。
【０００４】
このようなＢＷＢにおいて、近年では、電子装置の処理速度の向上に応じて、より高速に信号が伝送されるようになってきており、これに伴い、プリント基板やＢＷＢにおいて生じる伝送信号の品質劣化（例えば、ビットエラーレートの劣化）が課題となっている。この伝送信号の劣化は、プリント基板やＢＷＢの材料を構成する絶縁体の誘電損失など、伝送路の特性に起因するものである。
【０００５】
かかる伝送信号の劣化を補正するための方法として、例えば、プレエンファシス（Ｐｒｅ−Ｅｍｐｈａｓｉｓ）と呼ばれる手法により、送信する際に信号を補正する方法や、イコライザー（Ｅｑｕａｌｉｚｅｒ）により、受信する際に信号を補正する方法が有効であることが知られている。
【０００６】
図１７は、プレエンファシスを説明するための図である。同図の（ａ）および（ｂ）は、何も補正が行われずに信号が伝送された場合の、送信側で測定した信号波形と、受信側で測定した信号波形とをそれぞれ示している。同図の（ｂ）に示すように、何も補正が行われずに伝送された場合には、伝送路の特性によって伝送信号の品質が劣化し、その結果、受信側では信号波形の肩が落ちる。そこで、プレエンファシスでは、同図の（ｃ）に示すように、送信側において、送信する伝送信号に対して肩の部分を強調しておく。これにより、同図の（ｄ）に示すように、受信側の伝送信号の波形を正しい波形に補正することができる。
【０００７】
一方、図１８は、イコライザーを説明するための図である。同図の（ａ）および（ｂ）は、図１７に示した（ａ）および（ｂ）と同じ信号の波形を示している。イコライザーでは、受信側において、受信された伝送信号に対して肩の部分を強調する。これにより、同図の（ｄ）に示すように、受信側の伝送信号の波形を正しい波形に補正することができる。
【０００８】
このように、伝送信号に対して、送信側でプレエンファシス（以下、「ＰＥ」と呼ぶ）により補正を行い、また、受信側でイコライザー（以下、「ＥＱ」と呼ぶ）により補正を行うことによって伝送信号の品質を補償することが可能になるが、伝送信号を補正（強調）する際の補正量は、あらかじめ最適な補正量を探し出し、送信側および受信側においてそれぞれ設定しておく必要がある。
【０００９】
かかる最適な補正量は、スロット間の配線パターンの長さに応じて変化する。そのため、電子装置の保守者は、あらかじめ、手動でＰＥおよびＥＱの補正量を変更しながら、プリント基板間で信号を伝送させる作業を繰り返し、伝送信号のエラーレートが最も小さくなる補正量を探し出し、その補正量に対応付けられた設定値を、受信側および送信側の通信装置に設定していた。これらの作業は全て手動で行われていたため、非常に手間のかかるものとなっていた。
【００１０】
このような初期設定作業の労力を軽減するため、電子装置の立ち上げた際の初期設定処理において、スロット間で自動的に設定値を変更しながら信号を伝送させて最適設定値を検出するとともに、探し出した最適設定値を、信号の補正処理を行う処理部に対して設定することによって、従来手動で行っていた作業を自動的に行うことを可能にする技術が考案されている（例えば、特許文献１）。
【００１１】
【特許文献１】特開２００４−１５６２２号公報
【発明の開示】
【発明が解決しようとする課題】
【００１２】
しかしながら、近年では、ＢＷＢには、任意のスロット間でペアを組むことができる構成（以下、「フルメッシュ構成」と呼ぶ）を可能とすることが求められている。フルメッシュ構成のＢＷＢでは、ペアになり得る全てのスロットがあらかじめ配線パターンにより互いに接続されており、任意のスロット間でペアを組むことが可能となる。しかし、いずれのスロットをペアとするかは、電子装置の使用方法に依存するため、保守者は、ペアとなり得る全てのスロット間で前述した最適設定値の設定に係る作業を行う必要がある。
【００１３】
このようなフルメッシュ構成のＢＷＢに、上記した従来の技術を適用した場合、ペアになり得る全てのスロットの組み合わせに対して、最適設定値の検出および設定が行われることになるため、初期設定処理にかかる時間が増大してしまうという問題がある。
【００１４】
また、プリント基板やＢＷＢは、電子装置の運用が開始された後に、経年劣化や環境変動などの外的な要因によって、運用前の状態と比べてパターンインピーダンスが変化することがあり、それにより、スロット間で伝送される信号の品質が劣化することがある。
【００１５】
その場合、前述したＰＥやＥＱの最適設定値を再度検索して設定し直す必要があるが、運用中に、ＰＥやＥＱの設定値を変えると、実運用で伝送されている信号の品質をさらに劣化させてしまう可能性がある。例えば、設定値の再設定を行うために運用をいったん中断する方法も考えられるが、その場合、電子装置を利用している業務やサービスを全て停止することになり、ＢＷＢに実装されているスロットの数が多い場合など、最適設定値の検索に長い時間を要する場合には、業務に与える影響は多大である。
【００１６】
そのため、いかにして短時間で最適な信号の補正量の検出および設定を行うかが極めて重要な課題となっている。
【００１７】
この発明は、上述した従来技術による問題点を解消するためになされたものであり、短時間で最適な補正量の検出および設定を行うことができる信号補正量設定装置、信号補正量設定方法および信号補正量設定プログラムを提供することを目的とする。
【課題を解決するための手段】
【００１８】
上述した課題を解決し、目的を達成するため、本発明は、信号伝送路を介して接続された通信装置の組が複数ある場合に信号伝送路を介して伝送される信号の補正量を設定する信号補正量設定装置であって、複数の信号伝送路のうち、等しい長さの信号伝送路をグループとして登録したグループ情報を記憶するグループ情報記憶手段と、前記複数の信号伝送路のうち一つの信号伝送路が指定された場合に、信号の補正量を変化させながら異常の発生状況に係るエラー情報を取得するエラー情報取得手段と、指定された信号伝送路と等しい長さの信号伝送路を前記グループ情報記憶手段により記憶されたグループ情報に基づいて選択し、選択した信号伝送路を介して伝送される信号の補正量を前記エラー情報取得手段により取得されたエラー情報に基づいて設定する信号補正量設定手段と、を備えたことを特徴とする。
【００１９】
また、本発明は、上記の発明において、前記エラー情報取得手段は、指定された信号伝送路が使用中であるか否かを確認し、使用中であることを確認した場合に、該信号伝送路と等しい長さの未使用の信号伝送路において信号の補正量を変化させながら異常の発生状況に係るエラー情報を取得することを特徴とする。
【００２０】
また、本発明は、上記の発明において、異なる長さの信号伝送路にそれぞれ設定されている信号の補正量の差分情報を記憶する差分情報記憶手段をさらに備え、前記エラー情報取得手段は、指定された信号伝送路と等しい長さの未使用の信号伝送路が他に存在しなかった場合に、該信号伝送路とは異なる長さの未使用の信号伝送路において信号の補正量を変化させながら異常の発生状況に係るエラー情報を取得し、取得したエラー情報と前記差分情報記憶手段により記憶された差分情報とに基づいて信号の補正量を導出することを特徴とする。
【００２１】
また、本発明は、上記の発明において、前記エラー情報取得手段は、前記信号伝送路を介して送信される送信信号および受信される受信信号の補正量をそれぞれ変化させながら異常の発生状況に係るエラー情報を取得し、前記信号補正量設定手段は、前記エラー情報取得手段により取得されたエラー情報に基づいて前記送信信号および前記受信信号の補正量をそれぞれ設定することを特徴とする。
【００２２】
また、本発明は、上記の発明において、前記信号補正量設定手段は、前記エラー情報取得手段により取得されたエラー情報から前記異常の発生状況が所定の閾値以下となる送信信号および受信信号の補正量を取得し、取得した送信信号および受信信号の補正量のうち、それぞれの補正量の和が最小となる送信信号および受信信号の補正量を、前記選択した信号伝送路を介して伝送される信号の前記送信信号および前記受信信号の補正量としてそれぞれ設定することを特徴とする。
【００２３】
また、本発明は、信号伝送路を介して接続された通信装置の組が複数ある場合に信号伝送路を介して伝送される信号の補正量を設定する信号補正量設定方法であって、複数の信号伝送路のうち、等しい長さの信号伝送路をグループとして登録したグループ情報を記憶するグループ情報記憶工程と、前記複数の信号伝送路のうち一つの信号伝送路が指定された場合に、信号の補正量を変化させながら異常の発生状況に係るエラー情報を取得するエラー情報取得工程と、指定された信号伝送路と等しい長さの信号伝送路を前記グループ情報記憶工程により記憶されたグループ情報に基づいて選択し、選択した信号伝送路を介して伝送される信号の補正量を前記エラー情報取得工程により取得されたエラー情報に基づいて設定する信号補正量設定工程と、を含んだことを特徴とする。
【００２４】
また、本発明は、信号伝送路を介して接続された通信装置の組が複数ある場合に信号伝送路を介して伝送される信号の補正量を設定する信号補正量設定プログラムであって、複数の信号伝送路のうち、等しい長さの信号伝送路をグループとして登録したグループ情報を記憶するグループ情報記憶手順と、前記複数の信号伝送路のうち一つの信号伝送路が指定された場合に、信号の補正量を変化させながら異常の発生状況に係るエラー情報を取得するエラー情報取得手順と、指定された信号伝送路と等しい長さの信号伝送路を前記グループ情報記憶手順により記憶されたグループ情報に基づいて選択し、選択した信号伝送路を介して伝送される信号の補正量を前記エラー情報取得手順により取得されたエラー情報に基づいて設定する信号補正量設定手順と、をコンピュータに実行させることを特徴とする。
【発明の効果】
【００２５】
本発明によれば、複数の信号伝送路のうち、等しい長さの信号伝送路をグループとして登録したグループ情報を記憶し、複数の信号伝送路のうち一つの信号伝送路が指定された場合に、信号の補正量を変化させながら異常の発生状況に係るエラー情報を取得し、指定された信号伝送路と等しい長さの信号伝送路を、記憶したグループ情報に基づいて選択し、選択した信号伝送路を介して伝送される信号の補正量を、取得したエラー情報に基づいて設定するよう構成したので、同じグループに属する信号伝送路に対して同時に補正量を設定することが可能になり、短時間で最適な補正量を検出して設定することができるという効果を奏する。
【００２６】
また、本発明によれば、指定された信号伝送路が使用中であるか否かを確認し、使用中であることを確認した場合に、その信号伝送路と等しい長さの未使用の信号伝送路において信号の補正量を変化させながら異常の発生状況に係るエラー情報を取得するよう構成したので、運用が開始した後でも、実運用に影響を与えずに、最適な補正量を検出して設定することができるという効果を奏する。
【００２７】
また、本発明によれば、異なる長さの信号伝送路にそれぞれ設定されている信号の補正量の差分情報を記憶し、指定された信号伝送路と等しい長さの未使用の信号伝送路が他に存在しなかった場合に、その信号伝送路とは異なる長さの未使用の信号伝送路において信号の補正量を変化させながら異常の発生状況に係るエラー情報を取得し、取得したエラー情報と、記憶した差分情報とに基づいて信号の補正量を導出するよう構成したので、運用時の信号伝送路の構成および使用状況に影響されずに、最適な補正量を検出して設定することができるという効果を奏する。
【００２８】
また、本発明によれば、信号伝送路を介して送信される送信信号および受信される受信信号の補正量をそれぞれ変化させながら異常の発生状況に係るエラー情報を取得し、取得したエラー情報に基づいて送信信号および受信信号の補正量をそれぞれ設定するよう構成したので、信号伝送路を介して伝送される信号に対して、送信時および受信時にそれぞれ補正を行うように構成されていた場合でも、最適な補正量を検出して設定することができるという効果を奏する。
【００２９】
また、本発明によれば、取得したエラー情報から異常の発生状況が所定の閾値以下となる送信信号および受信信号の補正量を取得し、取得した送信信号および受信信号の補正量のうち、それぞれの補正量の和が最小となる送信信号および受信信号の補正量を、選択した信号伝送路を介して伝送される信号の送信信号および受信信号の補正量としてそれぞれ設定するよう構成したので、信号の補正において必要とされる電力が補正量の増加に伴って大きくなる場合に、消費電力を抑えることができるという効果を奏する。
【発明を実施するための最良の形態】
【００３０】
以下に添付図面を参照して、この発明に係る信号補正量設定装置、信号補正量設定方法および信号補正量設定プログラムの好適な実施例を詳細に説明する。なお、本実施例では本発明を、ＢＷＢにより接続されたプリント基板を介して信号を送受信する信号伝送装置に適用した場合について説明する。
【実施例１】
【００３１】
本実施例１に係る信号伝送装置は、等しい長さの配線パターンで接続されたスロットの組をグループとして記憶し、信号を伝送させるスロットの組が指定された場合には、指定されたスロット間の配線パターンに補正量を変化させながら信号を伝送させて、補正量ごとにエラーレートを取得し、取得したエラーレートに基づいて、当該スロット間でやり取りされる信号の最適な補正量を設定し、さらに、この補正量と同じになるように、当該スロット間と同じグループに属する全てのスロットの組についても、それぞれ、スロット間でやり取りされる信号の補正量を設定するものである。
【００３２】
まず、本実施例１に係る信号伝送装置の概念について説明する。本実施例１に係る信号伝送装置は、配線パターンを介して接続された８つのスロットを備えたＢＷＢと、信号の送受信を行う回路が実装された８つのプリント基板とから構成される。
【００３３】
図１は、本実施例１に係る信号伝送装置を構成するＢＷＢを示す図である。同図に示すように、本実施例１に係る信号伝送装置を構成するＢＷＢ１０は、Ｓｌｏｔ＃１〜＃８の８つのスロットを備えており、各スロットは、配線パターンを介して、他のそれぞれのスロットと１対１で接続されている。
【００３４】
このＢＷＢ１０において、配線パターンを介して接続されたスロットの組は、それぞれ、配線パターン長ごとに分けられた７つのグループ（以下、「等長グループ」と呼ぶ）に分類することができる。図２は、等長グループの分類を示す図である。同図に示すように、スロットの組は、等長グループＡ〜Ｇの７つのグループに分類される。なお、同図においては、図１に示した配線パターンを双方向それぞれに分けて示している。
【００３５】
ここで、各等長グループと、伝送信号に対するＰＥおよびＥＱの設定値との関係について考える。図３は、配線パターン長ごとのＰＥおよびＥＱの設定値とエラーレートとの関係の一例を示す図である。同図は、図２に示した等長グループＡ、Ｂ、ＤおよびＧのスロット間でＰＥおよびＥＱの設定値を変化させながら信号を伝送させて、エラーレートを測定した結果を示しており、同図において六角形で囲まれた範囲は、伝送信号がエラーフリー状態（エラーレートが、信号を伝送するうえで十分に小さい状態）となる設定値の範囲を示している。
【００３６】
このように、ＢＷＢ１０に備えられたスロットの組を、それぞれ、配線パターン長ごとに分けられた等長グループに分類した場合、ＰＥおよびＥＱの最適設定値（伝送信号がエラーフリー状態となる設定値）は等長グループごとに異なり、言い換えると、同じ等長グループに属するスロットの組には同じＰＥおよびＥＱの設定値を設定することができる。
【００３７】
上記の点に着目し、本実施例１に係る信号伝送装置は、初期設定時には、保守者によって、信号を疎通させるスロットの組が指定された場合に、そのスロットの組の間で、自動的にＰＥおよびＥＱの設定値を変えながら信号を伝送させて、当該スロットの組におけるＰＥおよびＥＱの最適設定値（伝送信号がエラーフリー状態となる設定値）を検索し、検索した最適設定値を、当該スロットの組と同じ等長グループに属する全てのスロットの組に対して設定する。
【００３８】
また、本実施例１に係る信号伝送装置は、運用開始後には、スロット間で伝送される信号のエラーレートを常時監視し、エラーレートが所定の閾値を超えている伝送信号を検出した場合に、その信号が伝送されたスロットの組と同じ等長グループに属する未使用のスロットの組の間で、自動的にＰＥおよびＥＱの設定値を変えながら信号を伝送させて、当該スロットの組におけるＰＥおよびＥＱの最適設定値を検索し、検索した最適設定値を、当該スロットの組と同じ等長グループに属する全てのスロットの組に対して設定する。
【００３９】
図４は、運用開始後の最適設定値検索の一例を示す図である。同図に示すように、例えば、運用開始後、Ｓｌｏｔ＃１とＳｌｏｔ＃３との間で信号の伝送が行われていた場合に、その伝送信号のエラーレートが所定の閾値を超えた場合には、信号伝送装置は、同じ等長グループに属する（配線パターン長が同じである）、Ｓｌｏｔ＃２とＳｌｏｔ＃４との間でＰＥおよびＥＱの設定値を変えながら信号を伝送させて、最適設定値を検索し、検索した最適設定値を、Ｓｌｏｔ＃１とＳｌｏｔ＃３との間で設定する。同様に、Ｓｌｏｔ＃２とＳｌｏｔ＃８との間でエラーレートが所定の閾値を超えた場合には、Ｓｌｏｔ＃１とＳｌｏｔ＃７との間で最適設定値を検索し、Ｓｌｏｔ＃４とＳｌｏｔ＃７との間でエラーレートが所定の閾値を超えた場合には、Ｓｌｏｔ＃５とＳｌｏｔ＃８との間で最適設定値を検索する。
【００４０】
このように、本実施例１に係る信号伝送装置では、初期設定時だけでなく、運用が開始された後でも、運用を中断することなく伝送信号の品質を自動的に補正することができる。
【００４１】
次に、本実施例１に係る信号伝送装置の構成について説明する。図５および図６は、本実施例１に係る信号伝送装置の構成を示す機能ブロック図（１）および（２）である。これらの図に示す信号伝送装置１００は、それぞれが所定の処理を行う複数のプリント基板と、プリント基板を接続するスロットを備えたＢＷＢ１０とから構成されている。なお、ここでは、説明を簡略化するために、プリント基板に実装されている機能部のみを図示し、プリント基板自体は図示を省略している。また、以下では、かかるＢＷＢ１０を介して各スロット間で伝送される信号を「ＢＷＢ伝送信号」と呼ぶ。
【００４２】
図５は、ＢＷＢ１０に備えられた８つのスロットのうち、スロット１１０（Ｓｌｏｔ＃１）およびスロット１２０（Ｓｌｏｔ＃２）の２つのスロットを示している。スロット１１０および１２０は、それぞれ、プリント基板を挿入するためのインタフェースであり、同図に示すように、スロット１１０には、メモリ１１１と、信号送受信部１１２と、制御部１１３とが実装されたプリント基板が接続されており、スロット１２０には、メモリ１２１と、信号送受信部１２２と、制御部１２３とが実装されたプリント基板が接続されている。
【００４３】
なお、スロット１１０とスロット１２０とは、互いに双方向にＢＷＢ伝送信号をやり取りするように接続されており、スロット１１０に接続されたプリント基板と、スロット１２０に接続されたプリント基板とは、送受信するＢＷＢ伝送信号の向きが逆になるだけであり、本発明に関連する機能部については同様の構成（信号送受信部１２２、ＰＥ処理部１２２ａ、ＥＱ処理部１２２ｂ、レジスタ１２２ｃ、エラー検出部１２２ｄ、メモリ１２１，制御部１２３）を有するので、以下では、スロット１１０に接続されたプリント基板の機能部のみを説明し、スロット１２０に接続されたプリント基板の機能部については説明を省略する。
【００４４】
メモリ１１１は、各種情報を記憶する記憶部であり、本発明に関連する情報としては、スロットの組と等長グループとを対応付けた情報（以下、「等長グループ情報」と呼ぶ）をあらかじめ記憶している。この等長グループ情報は、以下に示す表１のように、配線パターンで互いに接続されたスロットの組を表すスロット番号の組と、その組が属する等長グループとを対応付けた情報である。
【００４５】
【表１】
2008103951.tif 000003
【００４６】
ここで、メモリ１１１が、複数のスロットの組を配線パターンの長さが同じであるスロットの組ごとにグループ分けした情報を等長グループ情報として記憶しておくことにより、あるスロットの組の間で伝送されるＢＷＢ伝送信号に対するＰＥおよびＥＱの最適設定値を設定した際に、この等長グループ情報を参照することによって、同じ最適設定値を設定可能な他のスロットの組の間で伝送されるＢＷＢ伝送信号に対するＰＥおよびＥＱの設定値にも同じ最適設定値を設定することが可能になる。
【００４７】
信号送受信部１１２は、スロット１２０との間でＢＷＢ伝送信号が伝送される場合に、かかるＢＷＢ伝送信号の送受信を制御する処理部であり、本発明に関連する機能部としては、ＰＥ処理部１１２ａと、ＥＱ処理部１１２ｂと、レジスタ１１２ｃと、エラー検出部１１２ｄとを有する。
【００４８】
ＰＥ処理部１１２ａは、スロット１２０に対してＢＷＢ伝送信号１０１２を送信する処理部である。このＰＥ処理部１１２ａは、ＢＷＢ伝送信号１０１２を送信する際には、所定の設定値に基づいて、当該信号に対してＰＥによる信号の補正を行う。なお、ここでいう所定の設定値は補正の度合いを示す値であり、「０」〜「４」の５段階の値を設定することができる。これら５段階の値は、それぞれ所定の電圧のレベルによって定義される。
【００４９】
ＥＱ処理部１１２ｂは、スロット１２０からＢＷＢ伝送信号１０２１を受信する処理部である。このＥＱ処理部１１２ｂは、ＢＷＢ伝送信号１０２１を受信した際には、所定の設定値に基づいて、当該信号に対してＥＱによる信号の補正を行う。なお、ここでいう所定の設定値は補正の度合いを示す値であり、「０」〜「４」の５段階の値を設定することができる。これら５段階の値は、それぞれ所定の電圧のレベルによって定義される。
【００５０】
レジスタ１１２ｃは、後述する制御部１１３によって実行される各種処理による演算や、実行状態の保持に用いられる記憶部であり、例えば、ＰＥ処理部１１２ａやＥＱ処理部１１２ｂに設定されるＰＥおよびＥＱの設定値を一時的に保持する。
【００５１】
エラー検出部１１２ｄは、ＥＱ処理部１１２ｄによって補正されたＢＷＢ伝送信号１０２１のエラーレートを随時検出し、後述する制御部１１３に通知する処理部である。
【００５２】
制御部１１３は、各種の処理を実行することによって、スロット１１０に接続されたプリント基板上の各機能部の動作を制御する制御部である。特に本発明に関連する処理としては、制御部１１３は、初期設定時および運用中にＰＥおよびＥＱの最適設定値を検索する最適設定値検索処理を等長グループごとに行い、検索された最適設定値を、各スロットに接続されたプリント基板のＰＥ処理部およびＥＱ処理部に設定する処理を行う。なお、かかる最適設定値検索処理、および、最適設定値検索処理を含む最適設定値の設定に関する処理の処理手順については、後に詳細に説明する。
【００５３】
また、この制御部１１３は、制御情報信号を経由して、他のスロットに接続されたプリント基板の制御部と通信可能に接続されている。例えば、制御部１１３は、スロット１２０に接続されたプリント基板の制御部１２３とは、制御情報信号２０１２を経由して通信可能に接続されている。
【００５４】
なお、図５では図示を省略しているが、信号伝送装置１００には、スロット１１０およびスロット１２０の他にも６つのスロット（Ｓｌｏｔ＃３〜Ｓｌｏｔ＃８）が備えられており、スロット１１０およびスロット１２０は、他の６つのスロットとも互いに接続されている。
【００５５】
そのため、スロット１１０に接続されたプリント基板には、図５では図示を省略しているが、信号送受信部１１２の他にも、他の６つのスロットとの間でやり取りされるＢＷＢ伝送信号の制御を行うための信号送受信部が、それぞれ備えられている（スロット１２０に接続されたプリント基板についても同様）。
【００５６】
例えば、図６に示すように、信号伝送装置１００には、スロット１１０および１２０の他にスロット１３０（Ｓｌｏｔ＃３）も備えられており、スロット１１０に接続されたプリント基板には、信号送受信部１１２の他に信号送受信部１１４も備えられており、スロット１２０に接続されたプリント基板には、信号送受信部１２２の他に信号送受信部１２４も備えられている。
【００５７】
ここで、信号送受信部１１４は、図示していないスロットとスロット１１０との間で伝送されるＢＷＢ伝送信号の送受信を制御する処理部であり、信号送受信部１２４は、スロット１２０とスロット１３０との間で伝送されるＢＷＢ伝送信号の送受信を制御する処理部であり、それぞれ、前述した信号送受信部１１２と同様の機能部を有する。
【００５８】
そして、スロット１３０には、メモリ１３１と、信号送受信部１３２および１３４と、制御部１３３とがそれぞれ実装されたプリント基板が接続されており、それぞれ、前述したメモリ１１１、信号送受信部１１２および１１４、制御部１１３と同様の機能部を有する。
【００５９】
次に、制御部による最適設定値検索処理について具体的に説明する。この最適設定値検索処理は、所定のスロットの組の間で、ＰＥおよびＥＱの設定値を変えながら実際に信号を伝送させることにより、当該スロットの組に設定するＰＥおよびＥＱの設定値を検索する処理である。ここでいう所定のスロットの組は、初期設定時においては、保守者によって指定されたスロットの組となり、運用開始後においては、ＢＷＢ伝送信号のエラーレートが所定の閾値を超えたスロットの組となる。
【００６０】
なお、ここでは、図５に示した、スロット１１０からスロット１２０に対して伝送されるＢＷＢ伝送信号１０１２について、ＰＥおよびＥＱの最適設定値を設定する場合を例に挙げて説明する。この場合、ＢＷＢ伝送信号１０１２を受信する側であるスロット１２０に接続されたプリント基板の制御部１２３において、最適設定値検索処理が行われる。
【００６１】
まず、スロット１１０に接続されたプリント基板のＰＥ処理部１１２ａ、および、スロット１２０に接続されたプリント基板のＥＱ処理部１２２ｂの設定値には、それぞれ「０」が設定されていたとする。その状態で、制御部１２３は、まず、エラー検出部１２２ｄから通知されるＢＷＢ伝送信号１０１２のエラーレートをレジスタ１２２ｃ経由で取得する。ここで、取得したエラーレートが「１．０Ｅ−９」であったとする。
【００６２】
そして、制御部１２３は、ＰＥ処理部１１２ａの設定値が「０」、ＥＱ処理部１２２ｂの設定値が「０」、ＢＷＢ伝送信号１０１２のエラーレートが「１．０Ｅ−９」という結果をメモリ１２１に書き込み、さらに、制御情報信号２０１２経由で、スロット１１０に接続されたプリント基板の制御部１１３に対して、ＰＥの設定値を「１」に変更する変更要求を送信する。
【００６３】
変更要求を受信した制御部１１３は、レジスタ１１２ｃ経由でＰＥ処理部１１２ａの設定値を「１」に変更し、その後、制御情報信号２０１２経由で、制御部１２３に対して、ＰＥ処理部１１２ａの設定値を「１」に変更したことを示す変更通知を送信する。
【００６４】
変更通知を受信した制御部１２３は、その時点でエラー検出部１２２ｄから通知されるＢＷＢ伝送信号１０１２のエラーレート、すなわち、ＰＥ処理部１１２ａの設定値が「１」、ＥＱ処理部１２２ｂの設定値が「０」の時のＢＷＢ伝送信号１０１２のエラーレートをレジスタ１２２ｃ経由で取得する。ここで、取得したＢＷＢ伝送信号１０１２のエラーレートが「１．０Ｅ−１０」であったとする。
【００６５】
続いて、制御部１２３は、ＰＥ処理部１１２ａの設定値が「１」、ＥＱ処理部１２２ｂの設定値が「０」、ＢＷＢ伝送信号１０１２のエラーレートが「１．０Ｅ−１０」という結果をメモリ１２１に格納する。
【００６６】
この後、制御部１２３は、ＰＥ処理部１１２ａの設定値を「２」、「３」、「４」と順番に変更させながら、その都度、上記同様にＢＷＢ伝送信号１０１２のエラーレートを取得し、取得した結果をメモリ１２１に格納する。この時点で、ＰＥ処理部１１２ａの設定値には「４」が、ＥＱ処理部１２２ｂの設定値には「０」が、それぞれ設定されている。
【００６７】
続いて、制御部１２３は、レジスタ１２２ｃを経由してＥＱ処理部１２２ｂの設定値を「１」に変更する。
【００６８】
その状態で、制御部１２３は、エラー検出部１２２ｄから通知されるＢＷＢ伝送信号１０１２のエラーレート、すなわち、ＰＥ処理部１１２ａの設定値が「４」、ＥＱ処理部１２２ｂの設定値が「１」の時のＢＷＢ伝送信号１０１２のエラーレートをレジスタ１２２ｃ経由で取得する。ここで、取得したエラーレートが「１．０Ｅ−１０」であったとする。
【００６９】
続いて、制御部１２３は、ＰＥ処理部１１２ａの設定値が「４」、ＥＱ処理部１２２ｂの設定値が「１」、ＢＷＢ伝送信号１０１２のエラーレートが「１．０Ｅ−１０」という結果をメモリ１２１に書き込んだ後に、レジスタ１２２ｃを経由して、ＥＱ処理部１２２ｂの設定値を「２」に変更する。
【００７０】
その状態で、制御部１２３は、エラー検出部１２２ｄから通知されるＢＷＢ伝送信号１０１２のエラーレート、すなわち、ＰＥ処理部１１２ａの設定値が「４」、ＥＱ処理部１２２ｂの設定値が「２」の時のＢＷＢ伝送信号１０１２のエラーレートをレジスタ１２２ｃ経由で取得する。ここで、取得したエラーレートが「１．０Ｅ−１１」であったとする。
【００７１】
続いて、制御部１２３は、ＰＥ処理部１１２ａの設定値が「４」、ＥＱ処理部１２２ｂの設定値が「２」、ＢＷＢ伝送信号１０１２のエラーレートが「１．０Ｅ−１１」という結果をメモリ１２１に格納する。
【００７２】
この後、制御部１２３は、ＥＱ処理部１２２ｂの設定値を「３」，「４」と順番に変更させながら、その都度、上記同様にＢＷＢ伝送信号１０１２のエラーレートを取得し、取得した結果をメモリ１２１に格納する。
【００７３】
以後、制御部１２３は、上記の処理を繰り返し、最終的に、ＰＥ処理部１１２ａの設定値を「０」，「１」，「２」，「３」，「４」、ＥＱ処理部１２２ｂの設定値を「０」，「１」，「２」，「３」，「４」とした全ての設定値の組合せについてＢＷＢ伝送信号１０１２のエラーレートを取得し、取得した結果をメモリ１２１に格納する。この結果、例えばメモリ１２１には、以下に示す表２のような測定結果（以下、「エラーレート測定結果」と呼ぶ）が格納される。
【００７４】
【表２】
2008103951.tif 000004
【００７５】
なお、ここで、制御部１２３がエラーレートを測定する順番は、特に１つの順番に限定されるものではない。図７は、エラーレート測定順の一例を示す図である。例えば、同図に示すように、まずは（１）〜（２）に示すようにＰＥの設定値を１つずつ増やしていき、次に（２）〜（３）に示すようにＥＱの設定値を１つずつ増やしていき、次に（３）〜（４）に示すようにＰＥの設定値を１つずつ減らしていき、次に（４）〜（５）に示すようにＥＱの設定値を１つずつ減らしていき、次に（５）〜（６）に示すようにＰＥの設定値を１つずつ増やしていき、次に（６）〜（７）に示すようにＥＱの設定値を１つずつ増やしていき、次に（７）〜（８）に示すようにＰＥの設定値を１つずつ減らしていき、次に（８）〜（９）に示すようにＥＱの設定値を１つ減らし、最後に（９）〜（１０）に示すようにＰＥの設定値を１つ増やして、エラーレートを測定してもよい。
【００７６】
このようにして、ＰＥおよびＥＱの設定値ごとにエラーレートを測定した後、制御部１２３は、メモリ１２１に格納されたエラーレート測定結果に基づいて、ＰＥおよびＥＱの最適設定値を決定する。図８は、エラーレート測定結果の一例を示す図である。同図に示すエラーレート測定結果において、エラーフリー状態であると判定する基準となるエラーレートを「１．０Ｅ−１２」とすると、同図において六角形で囲まれた内部のＰＥおよびＥＱの設定値が、伝送信号がエラーフリー状態となる設定値、すなわち、最適設定値の候補となる。
【００７７】
ここで、ＰＥおよびＥＱの設定値の値は、電圧値に対応付けられるものであり、それぞれ、設定値が「０」から「４」に近付くにつれて、ＰＥ処理部１１２ａおよびＥＱ処理部１２２ｂにおける消費電力が高くなるため、最適設定値とする値はなるべく小さい値であることが望ましい。
【００７８】
さらに、最適設定値とする値は、最も外的要因による劣化に耐え得る値とすることが望ましい。そのため、最適設定値は、測定誤差等を考慮して、エラーフリー状態とエラー状態との境界上の値ではないことが望ましい。
【００７９】
そこで、制御部１２３は、エラーフリー状態となる範囲の内側（境界を含まない）に入るＰＥおよびＥＱの設定値のうち、それぞれの設定値の合計が最小となるものを、それぞれの最適設定値とする。例えば、図８に示す例では、ＰＥの最適設定値は「２」、ＥＱの設定値は「２」となる。なお、エラーフリー状態となる範囲の内側に設定値が存在しなかった場合には、制御部１２３は、境界上のＰＥおよびＥＱの設定値のうち、合計が最小となるものを、それぞれの最適設定値とする。
【００８０】
制御部１２３は、このような最適設定値の検索を全ての等長グループについて行い、検索したＰＥおよびＥＱの最適設定値に基づいて、以下に示す表３のように、等長グループごとの最適設定値の情報（以下、「最適設定値情報」と呼ぶ）をメモリ１２１に格納する。
【００８１】
【表３】
2008103951.tif 000005
【００８２】
次に、本実施例１に係る最適設定値の設定に関する処理について説明する。ここでは、初期設定時における最適設定値の設定処理手順、および、運用開始後における最適設定値の設定処理手順について、それぞれ説明する。
【００８３】
最初に、初期設定時における最適設定値の設定処理手順について説明する。図９は、本実施例１に係る信号伝送装置１００による初期設定時の最適設定値の設定手順を示すシーケンス図である。なお、ここでは、図５に示した、スロット１１０からスロット１２０に伝送されるＢＷＢ伝送信号１０１２に対するＰＥおよびＥＱの最適設定値を設定する場合について説明する。
【００８４】
まず、ＢＷＢ伝送信号１０１２に対して、最適値検索処理が行われる。すなわち、ＢＷＢ伝送信号１０１２を受信する側のスロット１２０に接続されたプリント基板の制御部１２３が、ＰＥおよびＥＱの設定値の組合せごとにエラーレートを検出し（ステップＳ１０１）、検出したエラーレートに基づいて、ＰＥおよびＥＱの最適設定値を検索する（ステップＳ１０２）。
【００８５】
続いて、制御部１２３は、検索したＥＱの最適設定値をＥＱ処理部１２２ｂに設定し（ステップＳ１０３）、さらに、検索したＰＥの最適設定値を、制御情報信号２０１２経由でスロット１１０に対して通知する（ステップＳ１０４）。
【００８６】
ＰＥの最適設定値を設定する要求を受信したスロット１１０の制御部１１３は、受信した要求に基づいてＰＥ処理部１１２ａに最適設定値を設定し（ステップＳ１０５）、ＰＥの設定値の変更完了通知を、制御情報信号２０１２経由でスロット１２０に対して送信する（ステップＳ１０６）。
【００８７】
変更完了通知を受信したスロット１２０の制御部１２３は、ＢＷＢ伝送信号１０１２に対するＰＥおよびＥＱの最適設定値検索が完了したことを保守者に通知する（ステップＳ１０７）。
【００８８】
さらに、制御部１２３は、メモリ１２１に格納された等長グループ情報を参照して、スロット１１０とスロット１２０の組（Ｓｌｏｔ＃１とＳｌｏｔ＃２の組）が属する等長グループＡに属する他のスロットの組を確認し、関連するスロットの制御部に対して、同じＰＥおよびＥＱの最適設定値を設定する要求を、それぞれのスロットに対応する制御情報信号経由で送信する（ステップＳ１０８）。
【００８９】
続いて、運用開始後における最適設定値の設定処理手順について説明する。図１０は、本実施例１に係る信号伝送装置１００による運用開始後の最適設定値の設定手順を示すシーケンス図である。なお、ここでは、図６に示した信号伝送装置１００において、運用上、スロット１１０とスロット１２０との間で伝送されるＢＷＢ伝送信号１０１２および１０２１が使用されており、スロット１２０とスロット１３０との間で伝送されるＢＷＢ伝送信号１０２３および１３２は使用されていない場合について説明する。
【００９０】
信号伝送装置１００の運用開始後、運用上使用されているＢＷＢ伝送信号１０１２を受信する側のスロット１３０において、制御部１３３は、常時、未使用であるＢＷＢ伝送信号１０２３を用いて、ＰＥおよびＥＱの最適設定値検索処理を行う。すなわち、制御部１３３は、ＰＥおよびＥＱの設定値の組合せごとにＢＷＢ伝送信号１０２３のエラーレートを検出し（ステップＳ２０１）、検出したエラーレートに基づいて、ＢＷＢ伝送信号１０２３に対するＰＥおよびＥＱの最適設定値を検索する（ステップＳ２０２）。
【００９１】
ここで、運用上使用されているＢＷＢ伝送信号１０１２のエラーレートが「１．０Ｅ−１１」であり、ＰＥ処理部１１２ａの最適設定値が「２」、ＥＱ処理部１２２ｂの最適設定値が「３」であったとする。これら最適設定値は、各スロットに接続されたプリント基板のメモリに格納された等長グループ情報、最適設定値情報を参照することによって確認することができる。
【００９２】
続いて、制御部１３３は、検索したＰＥの最適設定値（「２」）を、制御情報信号２０１３経由でスロット１１０に対して通知し（ステップＳ２０３）、また、検索したＥＱの最適設定値（「３」）を、制御情報信号２０２３経由でスロット１２０に対して通知する（ステップＳ２０４）。
【００９３】
そして、制御部１１３は、受信したＰＥの最適設定値に基づいて、現在の環境状況下におけるＢＷＢ伝送信号１０２３に対するＰＥの最適設定値が「２」であることを示す情報をメモリ１１１に格納する（ステップＳ２０５）。
【００９４】
一方、制御部１２３は、受信したＥＱの最適設定値に基づいて、現在の環境状況下におけるＢＷＢ伝送信号１０２３に対するＥＱの最適設定値が「３」であることを示す情報をメモリ１２１に格納する（ステップＳ２０６）。
【００９５】
ここで、制御部１２３は、エラー検出部１２２ｄから通知されるＢＷＢ伝送信号１０１２のエラーレートが所定の閾値を超えているか否かを判定する。ここでは、所定の閾値が「１．０Ｅ−１０」であったとする。この時点で、ＢＷＢ伝送信号１０１２のエラーレートは「１．０Ｅ−１１」であり、所定の閾値を超えていないので、制御部１２３は、ＥＱ処理部１１２ｂの設定値変更を行わない。
【００９６】
この後、制御部１３３は、再度、最適設定値検索処理を行い、時々刻々、現在の環境条件下におけるＢＷＢ伝送信号１０２３に対するＰＥおよびＥＱの最適設定値を検索して、ステップＳ２０１〜Ｓ２０４の処理を繰り返し、常に、現在の環境状況下におけるＢＷＢ伝送信号１０１２に対するＰＥの最適設定値およびＥＱの最適設定値を、それぞれ、スロット１１０の制御部１１３、および、スロット１２０の制御部１２３に対して通知する。
【００９７】
そして、制御部１１３は、ＰＥの最適設定値を受信するたびに、その最適設定値をメモリ１１１に格納し、制御部１２３は、ＥＱの最適設定値を受信するたびに、その最適設定値をメモリ１２１に上書きする（ステップＳ２０５、Ｓ２０６と同様）。
【００９８】
このように、ＢＷＢ伝送信号１０１２のエラーレートが所定の閾値を超えない限り、ステップＳ２０１〜Ｓ２０６の処理が繰り返され、メモリ１１１および１２１には、常に現在の環境状況下におけるＢＷＢ伝送信号１０１２に対するＰＥおよびＥＱの最適設定値が格納される。
【００９９】
そして、ＢＷＢ伝送信号１０１２のエラーレートが所定の閾値を超えた場合には、制御部１２３が、これを検出し、メモリ１２１を参照して現在の環境条件化におけるＥＱの最適設定値を取得し、ＥＱ処理部１２２ｂに設定し（ステップＳ２０７）、さらに、制御情報信号２０１２経由で、メモリ参照要求を制御部１１３に対して送信する（ステップＳ２０８）。
【０１００】
メモリ参照要求を受信し制御部１１３は、メモリ１１１を参照して現在の環境条件下におけるＰＥの最適設定値を取得し、ＰＥ処理部１１２ａに設定する（ステップＳ２０９）。
【０１０１】
この後、制御部１２３は、メモリ１２１に格納された等長グループ情報を参照して、スロット１１０とスロット１２０の組（Ｓｌｏｔ＃１とＳｌｏｔ＃２の組）が属する等長グループＡに属する他のスロットの組を確認し、関連するスロットの制御部に対して、同じＰＥおよびＥＱの最適設定値を設定する要求を、それぞれのスロットに対応する制御情報信号経由で送信する（ステップＳ２１０）。
【０１０２】
このように、ある伝送信号のエラーレートが所定の閾値を超えた場合に、その伝送信号の劣化を補正すると同時に、その伝送信号と同じ等長グループに属する全ての伝送信号についてＰＥおよびＥＱの設定値を最適な設定値に変更することができる。
【０１０３】
上述してきたように、本実施例１では、複数のスロットの組のうち、等しい長さの配線パターンで接続されたスロットの組をグループとして登録した等長グループ情報を記憶し、複数のスロットの組のうち一つのスロットの組が指定された場合に、信号のＰＥおよびＥＱの設定値を変化させながらエラーレートを検出し、指定されたスロットの組を接続する配線パターンと等しい長さの配線パターンで接続されたスロットの組を、等長グループ情報に基づいて選択し、選択したスロットの組の間で伝送される信号のＰＥおよびＥＱの最適設定値を、検出したエラーレートに基づいて設定するので、同じグループに属するスロットの組に対して同時にＰＥおよびＥＱの最適設定値を設定することが可能になり、短時間で最適な補正量の検出および設定を行うことができる。
【０１０４】
また、本実施例１では、指定されたスロットの組が使用中であるか否かを確認し、使用中であることを確認した場合に、そのスロットの組の間の配線パターンと等しい長さの未使用の配線パターンで接続されたスロットの組において信号のＰＥおよびＥＱの設定値を変化させながらエラーパターンを検出するので、運用が開始した後でも、実運用に影響を与えずに、最適な補正量を検出して設定することができる。
【０１０５】
また、本実施例１では、スロットの組を接続する配線パターンを介して伝送される信号のＰＥおよびＥＱの設定値をそれぞれ変化させながらエラーレートを検出し、検出したエラーレートに基づいてＰＥおよびＥＱの設定値をそれぞれ設定するので、スロットの組を接続する配線パターンを介して伝送される信号に対して、送信時および受信時にそれぞれ補正を行うように構成されていた場合でも、最適な補正量を検出して設定することができる。
【０１０６】
また、本実施例１では、検出したエラーレートが所定の閾値以下となるＰＥおよびＥＱの設定値を取得し、取得したＰＥおよびＥＱの設定値のうち、それぞれの設定値の和が最小となるＰＥおよびＥＱの設定値を、選択したスロットの組に対するＰＥおよびＥＱの設定値としてそれぞれ設定するので、信号の補正において必要とされる電力が補正量の増加に伴って大きくなる場合に、消費電力を抑えることができる。
【実施例２】
【０１０７】
ところで、上記実施例１では、運用開始後に、あるスロット間においてエラーレートが所定の閾値を超えているＢＷＢ伝送信号を検出した場合に、その信号が伝送されたスロットの組と同じ等長グループに属する未使用のスロットの組の間で、自動的にＰＥおよびＥＱの設定値を変えながら信号を伝送させて、当該スロットの組におけるＰＥおよびＥＱの最適設定値を検索する場合について説明した。
【０１０８】
しかしながら、運用時に使用するスロットの構成によっては、あるスロットの組の間で伝送されるＢＷＢ伝送信号のエラーレートが所定の閾値を超えた場合に、そのスロットの組と同じ等長グループに属するスロットの組の中に、未使用の組が存在しない場合も考えられる。図１１は、同じ等長グループのスロットの組に未使用の組が存在しない構成を示す図である。例えば、同図のパターン１〜４のように、運用時に使用するスロットが構成されていたとする。パターン１においては、Ｓｌｏｔ＃１とＳｌｏｔ＃８との組と同じ等長グループに属するスロットの組は、そもそも存在しない。また、パターン２においては、Ｓｌｏｔ＃１とＳｌｏｔ＃７との組と同じ等長グループに属し得るスロットの組は、Ｓｌｏｔ＃２とＳｌｏｔ＃８との組しかないが、この組はすでに使用されている。同様に、パターン３におけるＳｌｏｔ＃１とＳｌｏｔ＃６との組、パターン４におけるＳｌｏｔ＃１とＳｌｏｔ＃５との組も、同じ等長グループに属し得る他のスロットの組は、全て使用されている。
【０１０９】
そこで、以下では実施例２として、ＢＷＢ伝送信号の品質の補正が必要となったスロットの組と同じ等長グループに属するスロットの組の中に未使用の組が存在しない場合であっても、他の等長グループに属する未使用のスロットの組を利用し、近似的にＰＥおよびＥＱの最適設定値を検索する方法について説明する。
【０１１０】
まず、本実施例２に係る信号伝送装置による最適設定値の検索方法の概念について説明する。ここでは、図１１に示したパターン１の構成において、Ｓｌｏｔ＃１とＳｌｏｔ＃８との間で伝送されるＢＷＢ伝送信号に対するＰＥおよびＥＱの最適設定値を検索する場合を例に挙げて説明する。
【０１１１】
図１２は、本実施例２に係る信号伝送装置による最適設定値の検索方法の概念を説明するための図である。同図に示す（１）および（２）は、運用開始前の初期設定時に検出した、伝送信号がエラーフリー状態となるＰＥおよびＥＱの設定値の範囲を示しており、（１）はＳｌｏｔ＃１とＳｌｏｔ＃８との間で伝送されるＢＷＢ伝送信号について、（２）はＳｌｏｔ＃１とＳｌｏｔ＃７との間で伝送されるＢＷＢ伝送信号について検出した結果を示している。そして、Ｓｌｏｔ＃１とＳｌｏｔ＃８との間でのＰＥおよびＥＱの最適設定値が、それぞれ、「３」および「３」であり、Ｓｌｏｔ＃１とＳｌｏｔ＃７との間のＰＥおよびＥＱ最適設定値が、それぞれ、「２」および「３」であったとする。
【０１１２】
本実施例２に係る信号伝送装置は、初期設定の時点で、Ｓｌｏｔ＃１とＳｌｏｔ＃８との間のＰＥおよびＥＱの最適設定値と、Ｓｌｏｔ＃１とＳｌｏｔ＃７との間のＰＥおよびＥＱ最適設定値との差分を算出して記憶しておく。すなわち、それぞれのスロット間のＰＥおよびＥＱ最適設定値との差分として、「１」および「０」を記憶しておく。
【０１１３】
そして、運用が開始した後、温度変動によってＳｌｏｔ＃１とＳｌｏｔ＃８との間で伝送されるＢＷＢ伝送信号が劣化したとする。この場合、信号伝送装置は、前述したようにＳｌｏｔ＃１とＳｌｏｔ＃８との組と同じ等長グループに属するスロットの組が存在しないため、次に配線パターン長が短い等長グループに属するＳｌｏｔ＃１とＳｌｏｔ＃７との組の間で信号を伝送させて、ＰＥおよびＥＱの最適設定値を検索する。
【０１１４】
この結果、例えば、同図に示す（３）の範囲が、エラーフリー状態となる設定値の範囲として得られたとすると、信号伝送装置は、消費電力および測定誤差等を考慮して、ＰＥおよびＥＱの最適設定値を、それぞれ「１」および「１」とする。
【０１１５】
このようにして得られたＳｌｏｔ＃１とＳｌｏｔ＃７との間での最適設定値に対して、信号伝送装置は、初期設定時に算出しておいた差分を加算することによって、近似的にＳｌｏｔ＃１とＳｌｏｔ＃８との間での最適設定値を算出する。具体的には、信号伝送装置は、Ｓｌｏｔ＃１とＳｌｏｔ＃７との間でのＰＥおよびＥＱの最適設定値「１」および「１」に対して、それぞれの差分「１」および「０」を加算し、「２」および「１」を算出し、これらをＳｌｏｔ＃１とＳｌｏｔ＃８との間でのＰＥおよびＥＱの最適設定値とする（同図に示す（４）参照）。
【０１１６】
このように、本実施例２に係る信号伝送装置では、等しい長さの未使用の配線パターンで接続されたスロットの組が他に存在しなかった場合に、そのスロットの組の配線パターンとは異なる長さの未使用の配線パターンで接続されたスロットの組において信号のＰＥおよびＥＱの設定値を変化させながらエラーレートを検出し、検出したエラーレートと、初期設定時に記憶しておいた差分情報とに基づいて信号のＰＥおよびＥＱの設定値を導出するので、運用時の信号伝送路の構成および使用状況に対して柔軟に対応することができる。
【０１１７】
次に、本実施例２に係る信号伝送装置の構成について説明する。図１３は、本実施例２に係る信号伝送装置の構成を示す機能ブロック図である。なお、ここでは説明の便宜上、図５および６に示した各部と同様の役割を果たす機能部については同一符号を付すこととしてその詳細な説明を省略する。
【０１１８】
同図に示す信号伝送装置２００は、それぞれが所定の処理を行う複数のプリント基板と、プリント基板を接続するスロットを備えたＢＷＢ１０とから構成されている。なお、ここでは、説明を簡略化するために、プリント基板に実装されている機能部のみを図示し、プリント基板自体は図示を省略している。
【０１１９】
同図は、ＢＷＢ１０に備えられた８つのスロットのうち、スロット２１０（Ｓｌｏｔ＃１）、スロット２７０（Ｓｌｏｔ＃７）およびスロット２８０（Ｓｌｏｔ＃８）の３つのスロットを示している。
【０１２０】
スロット２１０、２７０および２８０は、それぞれ、プリント基板を挿入するためのインタフェースであり、同図に示すように、スロット２１０には、メモリ１１１と、信号送受信部１１２および１１４と、制御部２１３とが実装されたプリント基板が接続されており、スロット２７０には、メモリ１７１と、信号送受信部１７２および１７４と、制御部２７３とが実装されたプリント基板が接続されており、スロット２８０には、メモリ１８１と、信号送受信部１８２および１８４と、制御部２８３とが実装されたプリント基板が接続されている。
【０１２１】
なお、スロット２１０に接続されたプリント基板と、スロット２７０に接続されたプリント基板と、スロット２８０に接続されたプリント基板とは、送受信するＢＷＢ伝送信号が異なるだけで、本発明に関連する機能部については同様の構成を有するので、以下では、スロット２８０に接続されたプリント基板の構成のみを説明し、スロット２１０および２７０に接続されたプリント基板の機能部については説明を省略する。
【０１２２】
メモリ１８１は、各種情報を記憶する記憶部であり、本発明に関連する情報としては、等長グループ情報（実施例１を参照）をあらかじめ記憶している。
【０１２３】
信号送受信部１８２は、スロット２１０との間でＢＷＢ伝送信号が伝送される場合に、かかるＢＷＢ伝送信号の送受信を制御する処理部であり、本発明に関連する機能部としては、ＰＥ処理部１８２ａと、ＥＱ処理部１８２ｂと、レジスタ１８２ｃと、エラー検出部１８２ｄとを有する。
【０１２４】
なお、ＰＥ処理部１８２ａ、ＥＱ処理部１８２ｂ、レジスタ１８２ｃおよびエラー検出部１８２ｄは、送受信するＢＷＢ伝送信号が異なるだけで、それぞれ、これまでに説明したＰＥ処理部、ＥＱ処理部、レジスタおよびエラー検出部と同様の機能を有するので、ここでは詳細な説明を省略する。
【０１２５】
信号送受信部１８４は、図示していないスロットとスロット２７０との間で伝送されるＢＷＢ伝送信号の送受信を制御する処理部である。この信号送受信部１８４は、送受信するＢＷＢ伝送信号が異なるだけで、信号送受信部１８２と同様の構成を有するので、ここでは詳細な説明を省略する。
【０１２６】
制御部２８３は、各種の処理を実行することによって、スロット２８０に接続されたプリント基板上の各機能部の動作を制御する制御部である。特に本発明に関連する処理としては、制御部２８３は、初期設定時および運用中にＰＥおよびＥＱの最適設定値を検索し、さらに、等長グループごとに、次に短い等長グループとの最適設定値の差分を算出する最適設定値検索処理を行い、検索された最適設定値を、各スロットに接続されたプリント基板のＰＥ処理部およびＥＱ処理部に設定する処理を行う。なお、かかる最適設定値検索処理、および、最適設定値検索処理を含む最適設定値の設定に関する処理の処理手順については、後に詳細に説明する。
【０１２７】
次に、本実施例２に係る最適設定値の設定に関する処理について説明する。ここでは、初期設定時における最適設定値の設定処理手順、および、運用開始後における最適設定値の設定処理手順について、それぞれ説明する。
【０１２８】
最初に、初期設定時における最適設定値の設定処理手順について説明する。図１４は、本実施例２に係る信号伝送装置２００による初期設定時の最適設定値の設定手順を示すシーケンス図である。なお、ここでは、図１３に示した、スロット２１０からスロット２８０に伝送されるＢＷＢ伝送信号１０１８に対するＰＥおよびＥＱの最適設定値を設定する場合について説明する。
【０１２９】
まず、システム運用開始前の初期設定時に、ＢＷＢ伝送信号１０１８に対して、最適値検索処理が行われる。すなわち、ＢＷＢ伝送信号１０１８を受信する側のスロット２８０に接続されたプリント基板の制御部２８３が、ＰＥおよびＥＱの設定値の組合せごとにエラーレートを検出し、検出したエラーレートに基づいてＰＥおよびＥＱの最適設定値を検索する。ここでは、ＰＥ処理部１１２ａおよびＥＱ処理部１８２ｂの最適設定値が、それぞれ、「３」および「３」であったとする。
【０１３０】
続いて、制御部２８３は、スロット２１０のＰＥ処理部１１２ａ、および、ＥＱ処理部１８２ｂに対して、検索した最適設定値を設定するとともに（設定方法については、実施例１を参照）（ステップＳ３０１）、各最適設定値をメモリ１８１に格納する（ステップＳ３０２）。
【０１３１】
同様に、ＢＷＢ伝送信号１０１７に対して、最適値検索処理が行われる。すなわち、ＢＷＢ伝送信号１０１７を受信する側のスロット２７０に接続されたプリント基板の制御部２７３が、ＰＥおよびＥＱの設定値の組合せごとにエラーレートを検出し、検出したエラーレートに基づいて、ＢＷＢ伝送信号１０１７に対するＰＥおよびＥＱの最適設定値を検索する。ここでは、ＰＥおよびＥＱの最適設定値が、それぞれ、「２」および「３」であったとする。
【０１３２】
続いて、制御部２７３は、スロット２１０に対して、制御情報信号１０１７経由で要求を送信することによって、検索したＢＷＢ伝送信号１０１７に対するＰＥ，ＥＱの最適設定値を設定するとともに（設定方法については、実施例１を参照）（ステップＳ３０３）、各最適設定値を制御情報信号２０７８経由で、制御部２８３に対して通知する（ステップＳ３０４）。
【０１３３】
最適設定値を受信した制御部２８３は、メモリ１８１を参照して、ＢＷＢ伝送信号１０１８に対するＰＥおよびＥＱの最適設定値を取得し、取得した最適設定値と、すでに受信しているＢＷＢ伝送信号１０１７に対するＰＥおよびＥＱとをそれぞれ比較し、差分を算出する（ＢＷＢ伝送信号１０１８に対するＰＥおよびＥＱの最適設定値から、ＢＷＢ伝送信号１０１７に対するＰＥおよびＥＱを減算する）（ステップＳ３０５）。ここでは、結果として、「１」および「０」を算出する。
【０１３４】
続いて、制御部２８３は、算出した差分をメモリ１８１に格納し（ステップＳ３０６）、保守者に対して、ＢＷＢ伝送信号１０１８に対するＰＥおよびＥＱの最適値検索が完了したことを通知する（ステップＳ３０７）。
【０１３５】
このように、本実施例２に係る信号伝送装置２００では、各スロットにおいて、制御部が、検索したＰＥおよびＥＱの最適設定値を通知し合うことによって、等長グループごとに、次に短い等長グループとの最適設定値の差分を算出し、あらかじめ、それぞれのスロットのメモリに記憶しておく。
【０１３６】
続いて、運用開始後における最適設定値の設定処理手順について説明する。図１５は、本実施例２に係る信号伝送装置２００による運用開始後の最適設定値の設定手順を示すシーケンス図である。
【０１３７】
なお、ここでは、図１３に示した信号伝送装置２００において、運用上、スロット２１０とスロット２８０との間で伝送されるＢＷＢ伝送信号１０１８および１０８１が使用されており、スロット２１０とスロット２７０との間で伝送されるＢＷＢ伝送信号１０１７および１０７１は使用されていないこととし、さらに、スロット２１０とスロット２８０との組と同じ等長グループに属するスロットの組で、運用上未使用である組が他に存在しない場合について説明する。
【０１３８】
信号伝送装置２００の運用開始後、スロット２７０において、制御部２７３は、常時、ＢＷＢ伝送信号１０１７に対して、ＰＥおよびＥＱの最適値検索処理を行う。すなわち、制御部２７３は、ＰＥおよびＥＱの設定値の組合せごとにＢＷＢ伝送信号１０１７のエラーレートを検出し（ステップＳ４０１）、検出したエラーレートに基づいて、ＢＷＢ伝送信号１０１７に対するＰＥおよびＥＱの最適設定値を検索する（ステップＳ４０２）。
【０１３９】
そして、制御部２７３は、検索したＢＷＢ伝送信号１０１７に対するＰＥおよびＥＱの最適設定値を、制御情報信号２０７８経由で、スロット２８０の制御部２８３に対して通知する（ステップＳ４０３）。
【０１４０】
制御部２８３は、ＢＷＢ伝送信号１０１７に対するＰＥおよびＥＱの最適設定値を受信すると、受信した各最適設定値を、メモリ１８１に格納する（ステップＳ４０４）。これにより、メモリ１８１には、常時、現時点でのＢＷＢ伝送信号１０１７に対するＰＥおよびＥＱの最適設定値が格納される。
【０１４１】
ここで、経年劣化や温度変動などにより、運用上使用されているＢＷＢ伝送信号１０１８のエラーレートが所定の閾値を超えたとする。その場合、制御部２８３は、これを検出し、メモリ１８１を参照して、現在の環境条件化におけるＢＷＢ伝送信号１０１７に対するＰＥおよびＥＱの最適設定値を取得する。ここでは、それぞれの設定値が「１」および「１」であったとする。
【０１４２】
さらに、制御部２８３は、メモリ１８１を参照して、初期設定時に格納しておいた、ＢＷＢ伝送信号１０１８に対するＰＥおよびＥＱの最適設定値と、ＢＷＢ伝送信号１０１７に対するＰＥおよびＥＱの最適設定値との差分を取得する。ここでは、それぞれの設定値の差分が「１」および「０」であったとする。
【０１４３】
続いて、制御部２８３は、ＢＷＢ伝送信号１０１７に対するＰＥおよびＥＱの最適設定値に、設定値の差分を加算して、その結果をＢＷＢ伝送信号１０１７に対するＰＥおよびＥＱの最適設定値とする（ステップＳ４０５）。ここでは、「１」および「１」に「１」および「０」をそれぞれ加算し、その結果、ＢＷＢ伝送信号１０１７に対するＰＥおよびＥＱの最適設定値は、「２」および「１」となる。
【０１４４】
そして、制御部２８３は、算出したＥＱの最適設定値をＥＱ処理部１８２ｂに設定し（ステップＳ４０６）、さらに、制御情報信号２０１８経由で、算出したＰＥの最適設定値をＰＥ処理部１１２ａに対して設定する要求を、制御部２１３に対して送信する（ステップＳ４０７）。
【０１４５】
メモリ参照要求を受信し制御部２１３は、受信した設定要求に基づいて、ＰＥ処理部１１２ａに対して、ＰＥの最適設定値を設定する（ステップＳ４０８）。これにより、ＢＷＢ伝送信号１０１８に対して、ＰＥおよびＥＱの最適設定値が設定される。
【０１４６】
上述してきたように、本実施例２では、異なる長さの配線パターンで接続されたスロットの組にそれぞれ設定されているＰＥおよびＥＱの設定値の差分情報を記憶し、指定された信号伝送路と等しい長さの未使用の配線パターンで接続されたスロットの組が他に存在しなかった場合に、そのスロットの組の配線パターンとは異なる長さの未使用の配線パターンで接続されたスロットの組において信号のＰＥおよびＥＱの設定値を変化させながらエラーレートを検出し、検出したエラーレートと、記憶した差分情報とに基づいて信号のＰＥおよびＥＱの設定値を導出するので、運用時の信号伝送路の構成および使用状況に影響されずに、最適な補正量を検出して設定することができる。
【０１４７】
ところで、上記実施例で説明した各種の処理は、あらかじめ用意されたプログラムを、ＢＷＢ１０の各スロットに接続されたプリント基板上に実装されたＣＰＵ（Central Processing Unit）、ＭＣＵ（Micro Control Unit）、ＭＰＵ（Micro Processing Unit）などの処理装置で実行することによって実現することもできる。
【０１４８】
例えば、図５のスロット１１０に接続されたプリント基板において、上記実施例で説明した各種の処理を実行させるプログラムがメモリ１１１に記憶されており、このプログラムを、プリント基板上に実装されたＣＰＵが読み出して実行することにより、上述した各種機能を実現する各種プロセスが起動される。
【０１４９】
また、上記実施例において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１５０】
この他、上記文書中や図面中で示した処理手順、制御手順、具体的名称、各種のデータやパラメータを含む情報については、特記する場合を除いて任意に変更することができる。
【０１５１】
また、上記図面中に図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１５２】
さらに、上記実施例において説明した各処理機能は、その全部または任意の一部が、ＣＰＵおよび当該ＣＰＵにて解析実行されるプログラムにて実現され、あるいは、ワイヤードロジックによるハードウェアとして実現され得る。
【０１５３】
（付記１）信号伝送路を介して接続された通信装置の組が複数ある場合に信号伝送路を介して伝送される信号の補正量を設定する信号補正量設定装置であって、
複数の信号伝送路のうち、等しい長さの信号伝送路をグループとして登録した情報を記憶するグループ情報記憶手段と、
前記複数の信号伝送路のうち一つの信号伝送路が指定された場合に、信号の補正量を変化させながら異常の発生状況に係る情報を取得するエラー情報取得手段と、
指定された信号伝送路と等しい長さの信号伝送路を前記グループ情報記憶手段により記憶された情報に基づいて選択し、選択した信号伝送路を介して伝送される信号の補正量を前記エラー情報取得手段により取得された情報に基づいて設定する信号補正量設定手段と、
を備えたことを特徴とする信号補正量設定装置。
【０１５４】
（付記２）前記エラー情報取得手段は、指定された信号伝送路が使用中であるか否かを確認し、使用中であることを確認した場合に、該信号伝送路と等しい長さの未使用の信号伝送路において信号の補正量を変化させながら異常の発生状況に係る情報を取得することを特徴とする付記１に記載の信号補正量設定装置。
【０１５５】
（付記３）異なる長さの信号伝送路にそれぞれ設定されている信号の補正量の差分情報を記憶する差分情報記憶手段をさらに備え、
前記エラー情報取得手段は、指定された信号伝送路と等しい長さの未使用の信号伝送路が他に存在しなかった場合に、該信号伝送路とは異なる長さの未使用の信号伝送路において信号の補正量を変化させながら異常の発生状況に係る情報を取得し、取得した情報と前記差分情報記憶手段により記憶された差分情報とに基づいて信号の補正量を導出することを特徴とする付記２に記載の信号補正量設定装置。
【０１５６】
（付記４）前記エラー情報取得手段は、前記信号伝送路を介して送信される送信信号および受信される受信信号の補正量をそれぞれ変化させながら異常の発生状況に係る情報を取得し、
前記信号補正量設定手段は、前記エラー情報取得手段により取得された情報に基づいて前記送信信号および前記受信信号の補正量をそれぞれ設定することを特徴とする付記１、２または３に記載の信号補正量設定装置。
【０１５７】
（付記５）前記信号補正量設定手段は、前記エラー情報取得手段により取得された情報から前記異常の発生状況が所定の閾値以下となる送信信号および受信信号の補正量を取得し、取得した送信信号および受信信号の補正量のうち、それぞれの補正量の和が最小となる送信信号および受信信号の補正量を、前記選択した信号伝送路を介して伝送される信号の前記送信信号および前記受信信号の補正量としてそれぞれ設定することを特徴とする付記４に記載の信号補正量設定装置。
【０１５８】
（付記６）信号伝送路を介して接続された通信装置の組が複数ある場合に信号伝送路を介して伝送される信号の補正量を設定する信号補正量設定方法であって、
複数の信号伝送路のうち、等しい長さの信号伝送路をグループとして登録した情報を記憶するグループ情報記憶工程と、
前記複数の信号伝送路のうち一つの信号伝送路が指定された場合に、信号の補正量を変化させながら異常の発生状況に係る情報を取得するエラー情報取得工程と、
指定された信号伝送路と等しい長さの信号伝送路を前記グループ情報記憶工程により記憶された情報に基づいて選択し、選択した信号伝送路を介して伝送される信号の補正量を前記エラー情報取得工程により取得された情報に基づいて設定する信号補正量設定工程と、
を含んだことを特徴とする信号補正量設定方法。
【０１５９】
（付記７）信号伝送路を介して接続された通信装置の組が複数ある場合に信号伝送路を介して伝送される信号の補正量を設定する信号補正量設定プログラムであって、
複数の信号伝送路のうち、等しい長さの信号伝送路をグループとして登録した情報を記憶するグループ情報記憶手順と、
前記複数の信号伝送路のうち一つの信号伝送路が指定された場合に、信号の補正量を変化させながら異常の発生状況に係る情報を取得するエラー情報取得手順と、
指定された信号伝送路と等しい長さの信号伝送路を前記グループ情報記憶手順により記憶された情報に基づいて選択し、選択した信号伝送路を介して伝送される信号の補正量を前記エラー情報取得手順により取得された情報に基づいて設定する信号補正量設定手順と、
をコンピュータに実行させることを特徴とする信号補正量設定プログラム。
【産業上の利用可能性】
【０１６０】
以上のように、本発明に係る信号補正量設定装置、信号補正量設定方法および信号補正量設定プログラムは、信号伝送路を介して接続された通信装置の組が複数ある場合に信号伝送路を介して伝送される信号の補正量を設定する場合に有用であり、特に、短時間で最適設定値を検出し、実運用に影響を与えずに伝送信号の劣化を補正することが求められる場合に適している。
【図面の簡単な説明】
【０１６１】
【図１】本実施例１に係る信号伝送装置を構成するＢＷＢを示す図である。
【図２】等長グループの分類を示す図である。
【図３】配線パターン長ごとのＰＥおよびＥＱの設定値とエラーレートとの関係の一例を示す図である。
【図４】運用開始後の最適設定値検索の一例を示す図である。
【図５】本実施例１に係る信号伝送装置の構成を示す機能ブロック図（１）である。
【図６】本実施例１に係る信号伝送装置の構成を示す機能ブロック図（２）である。
【図７】エラーレート測定順の一例を示す図である。
【図８】エラーレート測定結果の一例を示す図である。
【図９】本実施例１に係る信号伝送装置による初期設定時の最適設定値の設定手順を示すシーケンス図である。
【図１０】本実施例１に係る信号伝送装置による運用開始後の最適設定値の設定手順を示すシーケンス図である。
【図１１】同じ等長グループのスロットの組に未使用の組が存在しない構成を示す図である。
【図１２】本実施例２に係る信号伝送装置による最適設定値の検索方法の概念を説明するための図である。
【図１３】本実施例２に係る信号伝送装置の構成を示す機能ブロック図である。
【図１４】本実施例２に係る信号伝送装置による初期設定時の最適設定値の設定手順を示すシーケンス図である。
【図１５】本実施例２に係る信号伝送装置による運用開始後の最適設定値の設定手順を示すシーケンス図である。
【図１６】バックボードの構成の一例を示す図である。
【図１７】プレエンファシスを説明するための図である。
【図１８】イコライザーを説明するための図である。
【符号の説明】
【０１６２】
１０    バックボード（ＢＷＢ）
１００，２００    信号伝送装置
１１０，１２０，１３０，２１０，２７０，２８０    スロット
１１１，１２１，１３１，１７１，１８１    メモリ
１１２，１１４，１２２，１２４，１３２，１３４，１７２，１７４，１８２，１８４    信号送受信部
１１２ａ，１２２ａ，１８２ａ    ＰＥ処理部
１１２ｂ，１２２ｂ，１８２ｂ    ＥＱ処理部
１１２ｃ，１２２ｃ，１８２ｃ    レジスタ
１１２ｄ，１２２ｄ，１８２ｄ    エラー検出部
１１３，１２３，１３３，２１３，２７３，２８３    制御部
１０１２，１０１７，１０１８，１０２１，１０２３    ＢＷＢ伝送信号
２０１２，２０１３，２０１８，２０２３，２０７８    制御情報信号
【図１】
2008103951.tif 000006
【図２】
2008103951.tif 000007
【図３】
2008103951.tif 000008
【図４】
2008103951.tif 000009
【図５】
2008103951.tif 000010
【図６】
2008103951.tif 000011
【図７】
2008103951.tif 000012
【図８】
2008103951.tif 000013
【図９】
2008103951.tif 000014
【図１０】
2008103951.tif 000015
【図１１】
2008103951.tif 000016
【図１２】
2008103951.tif 000017
【図１３】
2008103951.tif 000018
【図１４】
2008103951.tif 000019
【図１５】
2008103951.tif 000020
【図１６】
2008103951.tif 000021
【図１７】
2008103951.tif 000022
【図１８】
2008103951.tif 000023